(57)【特許請求の範囲】
【請求項１】
閉鎖ボックス内に収容された景品を、開閉可能な２つ以上の爪部によって把持して、景品取出し口に運ぶクレーンゲーム機に使用され、前記景品を載せるための景品トレイであって、
トレイ本体と、前記トレイ本体の底面に着脱自在な突起部品と、を含み、
前記トレイ本体は、底面の中央部付近に前記突起部品を結合するための少なくとも一個の穴を含む突起部品結合部を備え、
前記突起部品は、前記底面に結合したときに、その底面から下へ突出する突出部を備えること
を特徴とするクレーンゲーム機の景品トレイ。
【請求項２】
請求項１に記載されたクレーンゲーム機の景品トレイにおいて、
前記突起部品結合部は、前記底面の中心及びその中心と同心の円周上に分散して配置した複数の穴からなること
を特徴とするクレーンゲーム機の景品トレイ。
【請求項３】
請求項１又は請求項２に記載されたクレーンゲーム機の景品トレイにおいて、
前記トレイ本体の上面に載置した景品を寄り掛からせて支持するための着脱自在の支持柱を備えたこと
を特徴とするクレーンゲーム機の景品トレイ。
【請求項４】
請求項３に記載されたクレーンゲーム機の景品トレイにおいて、
前記トレイ本体は、その周縁部近くに前記支持柱を上面に自立させるための支持柱結合部を設けたこと
を特徴とするクレーンゲーム機の景品トレイ。
【発明の詳細な説明】
【０００１】
【発明の属する技術分野】
本発明は、クレーンゲーム機に関し、特に、遊戯者に取得されるべき景品を個別に載置するための、クレーンゲーム機の景品トレイに関するものである。
【０００２】
【従来の技術】
従来、この種のクレーンゲーム機は、透明ケースの天井に設けられた、ＸＹ移動装置により、クレーンのキャッチャを目的の景品位置に移動させて、その位置でキャッチャをＺ方向に下降させ、景品を掴むと、自動的にキャッチャが景品口に戻り、景品を獲得できるようになっている。
遊戯者が獲得しようとする景品は、通常は、固定された又は一定方向に回転するターンテーブル（以下、フィールドという）の上に載置されている。
【０００３】
【発明が解決しようとする課題】
前述した従来のクレーンゲーム機では、遊戯者に提供される景品は、多種多様な方がよい。この景品は、そのままフィールド上に置けるように、安定して自立性がよいもの、座った姿勢をとりつづけられるもの、例えば、縫いぐるみ等が適当な物としてあげられる。
自立させることができても一寸した衝撃で直ぐ倒れてしまうもの（例えば、写真立て、壁掛け時計など）や、全く立てることができない薄型の物（例えば、団扇、下敷き等）については、フィールド面に寝かせるしかないので、通常は、景品の対象外とされていた。
【０００４】
一方、遊戯者の興味をかき立てるためには、景品は容易に取れそうに見えて、取りづらく、景品の獲得に多少のテクニックを要する方がよい。
ところが、フィールドに隙間なく景品を詰め込み、特に、景品を寝かせると見栄えも悪く、キャッチャで掴むことが殆ど不可能である、というイメージを遊戯者に与え、興味を著しく削減するという問題点があった。
【０００５】
本発明の目的は、このような課題を解決して、比較的容易に取れそうなイメージを与えながら、景品の種別に応じてキャッチャで掴むときの難易度に差をつけることができるクレーンゲーム機の景品トレイを提供することである。
本発明の他の目的は、このような課題を解決して、自立できない景品を立たせて見栄えをすることができるクレーンゲーム機の景品トレイを提供することである。
【０００６】
【課題を解決するための手段】
本発明は、以下に記載するような解決手段により、前記課題を解決する。
なお、理解を容易にするために、本発明の実施形態に対応する符号を付して説明するが、これに限定するものではない。
すなわち、請求項１の発明は、閉鎖ボックス内に収容された景品を、開閉可能な２つ以上の爪部によって把持して、景品取出し口に運ぶクレーンゲーム機に使用され、前記景品（Ｇ1 ）を載せるための景品トレイであって、トレイ本体（１１）と、前記トレイ本体の底面（１１ｂ）に着脱自在な突起部品と、を含み、前記トレイ本体（１１）は、底面（１１ｂ）の中央部付近に前記突起部品（１６又は１７）を結合するための少なくとも一個の穴（１３ａ）を含む突起部品結合部を備え、前記突起部品（１６又は１７）は、前記底面（１１ｂ）に結合したときに、その底面（１１ｂ）から下へ突出する突出部（１６ａ又は１７ａ）を備えることを特徴とするクレーンゲーム機の景品トレイである。
【０００７】
請求項２の発明は、請求項１に記載されたクレーンゲーム機の景品トレイにおいて、前記突起部品結合部は、前記底面（１１ｂ）の中心及びその中心と同心の円周上に分散して配置した複数の穴（１３ａ〜１３ｉ）からなることを特徴とするクレーンゲーム機の景品トレイである。
【０００８】
請求項３の発明は、請求項１又は請求項２に記載されたクレーンゲーム機の景品トレイにおいて、前記トレイ本体（１１又は３１）の上面（１１ａ又は３１ａ）に載置した景品（Ｇ1〜Ｇ8など）を寄り掛からせて支持するための着脱自在の支持柱（２１，２２、又は、４１，４２など）を備えたことを特徴とするクレーンゲーム機の景品トレイである。
【０００９】
請求項４の発明は、請求項３に記載されたクレーンゲーム機の景品トレイにおいて、前記トレイ本体（１１又は３１）は、その周縁部近くに前記支持柱を上面に自立させるための支持柱結合部（１３ａ〜１３ｉ）を設けたことを特徴とするクレーンゲーム機の景品トレイである。
【００１０】
【発明の実施の形態】
以下、図面を参照して、本発明のクレーンゲーム機の景品トレイの実施形態について、さらに詳しく説明する。
本実施形態は、従来のクレーンゲーム機のゲームを一層面白くするために、景品が容易に取れそうに見えて、しかも、取れに難くすることによって、遊戯者にスリルを一層多く与えるようにしたものである。
【００１１】
この実施形態では、クレーンゲーム機として、景品を載置したターンテーブルを回してフィールドを動かすと共に、景品を掴むキャッチャも回転させて掴む方向を変えられるようにしたものを使用することが、より効果的である。
そこで、景品をトレイに載せて、そのトレイをフィールド上に配置することにより、景品又は景品トレイの一部に触れたとき、景品トレイが回転するようにしておけば、景品を掴む寸前に逃げられるように感じて、遊戯者は、今までにないスリルを味わうことになる。
【００１２】
図１は、本発明によるクレーンゲーム機の景品トレイの実施形態を使用状態で示した正面図である。
図１に示すように、本実施形態の景品トレイは、トレイ本体１０と、それ自体だけでは自立が難しいか、自立しても少しの衝撃で直ぐ転倒してしまうような景品類（例えば、景品Ｇ1 ）が倒れないように支える柱（以下、支持柱という）２０とを組み合わせたものである。
そして、トレイ本体１０の底面１０ｂには、トレイ本体１０を回転させるための凸部が設けられている。
【００１３】
図２は、トレイ本体１０の回転を容易にするための構造を示す説明図（断面図）である。
トレイ本体１０は、底面１０ｂの中央に凸部が設けてある。この凸部は、底面１０ｂに設けた穴１３ａ（図３、図４に示す）に、突起部品１５を嵌合させて構成したものである。この突起部品１５は、底面１０ｂに結合されて、その頭１５ａが底面１０ｂから下方に突き出している。
【００１４】
図３は、突起部品の例を示す斜視図である。図３において、突起部品１６及び１７は、図２の突起部品１５に相当する。
突起部品１６は、トレイ本体１０に取り付けたときに、底面１０ｂから下に出る部分１６ａが円錐形になっている。突起部品１７は、トレイ本体１０に取り付けたときに、底面１０ｂから下に出る部分１７ａが略半球形になっている。
なお、１６ｂ，１７ｂは、それぞれ突起部品１６，１７が、トレイ本体１０に設けた穴１３ａ（又は、後述するその周囲の穴１３ｂ〜１３ｉ）に嵌合する部分である。
【００１５】
図４は、トレイ本体１０の底面１０ｂの穴１３ａ〜１３ｉの配置例を示す底面図である。
図４に示すように、底面１０ｂには、中央の穴１３ａの他に、穴１３ａの回りに穴１３ｂ〜１３ｉが配置されている。
これらの穴１３ａ〜１３ｉのいずれかに、図３の突起部品１６又は１７が嵌め込まれるが、その嵌め込む位置によって、景品トレイの回転状況を変えることができる。
【００１６】
ただし、トレイ本体が不自然な回転をしないよう、中央の穴１３ａの形を他の穴１３ｂ〜１３ｉとは少し変えてある。
図５は、図４の穴の開口部を拡大して突起部品８ｍ、８ｎとの関係を示した説明図（底面側から見た斜視図）である。穴１３ａの開口部は、口周辺に底面１０ｂより僅かに出っ張ったつば状のスペーサ部１４が形成されている。他の穴１３ｂ〜１３ｉの開口部は、底面１０ｂと面一でスペーサ部が無い。
なお、突起部品１８ｍと１８ｎは、外形寸法とも同一であり、図２の突起部品１５に相当する。
【００１７】
そこで、突起部品１８ｍ，１８ｎを、穴１３ａと、その他の穴（穴１３ｂ〜１３ｉのうちの一つ、図では１３ｅ）に嵌め込んだ場合とでは、突起部品１８ｍだけが他の周囲の穴に嵌め込んだものより、頭の先端が僅かに下方に突出する。従って、景品トレイは、中心の突起部品１８ｍに支えられて回転することが多くなり、バランスよく回転し、回転による位置ずれは少なくなる。
【００１８】
図６は、突起部品を取り付ける穴の位置の配置例を示す説明図である。
この突起部品をどの穴に挿入し、どの穴に挿入しないかの選択は、自由に行うことができる。図６において、白い丸は、突起部品を取り付けない穴の位置を示し、黒い丸は、突起部品を取り付ける穴の位置を示している。図６の各配置例Ａ1 〜Ａ9 に示した突起部品の取付位置では、そのいずれを選択するかによって、トレイ本体１０と、フィールド面との摩擦比重は変化する。
【００１９】
図７は、本実施形態に係る支持柱の一例を示す正面図，右側面図である。
図７に示した支持柱２１と２２は、背の高さが異なるだけで、形状は略同じである。支持柱２１，２２は、図１の支持柱２０に相当する。図７において、図中のＨ1 の左側は、支持柱２１の正面図であり、右側は、右側面図である。図中のＬ1 の左側は、支持柱２２の正面図であり、右側は、右側面図である。
支持柱２１（２２）は、景品支持部２１ａ（２２ａ）と、景品支持部の下端より下に突き出した棒状の本体結合部２１ｂ（２２ｂ）により構成されている。
【００２０】
図８は、図２の支持柱と組み合わせるトレイ本体１１の一例を示す斜視図である。図８のトレイ本体１１は、図１のトレイ本体１０に相当する。
トレイ本体１１は、その上面１１ａに、その周縁部寄りに四方に分散して、支持柱２１（２２）の本体結合部２１ｂ（２２ｂ）を挿入するための穴１２ａ，１２ｂ，１２ｃ，１２ｄで構成する支持柱結合部が設けられている。
なお、トレイ本体１１及び支持柱２１，２２の素材は、本実施形態では、アクリル樹脂を使用した。
【００２１】
穴１２ａ，１２ｂ，１２ｃ，１２ｄのうちの一つ、又は、二つ以上に、支持柱２１（又は２２）の本体結合部２１ｂ（又は２２ｂ）を嵌め込むことによって、支持柱２１（又は２２）は、トレイ本体１１の上面に結合され自立して景品類を支えることができる。
どの種類の何個の支持柱を、どの位置に固定するかは、トレイ本体１１の上に置く景品の大きさや形状によって、安定した支持ができるか、見栄えはよいか等を勘案して選択すればよい。
【００２２】
トレイ本体１１に支持柱２１，２２を取り付けると、支持柱２１，２２に支えられた景品は、通常、支えられていない状態より、キャッチャによる景品の獲得が容易になる。ゲームの面白さは、全く取れなくても困るが、簡単に取れそうで取れないところを克服して景品を得るところにある。
そこで、本実施形態では、前述したのように、キャッチャによる景品獲得の際に、トレイ本体が回転して取り難いようにして、スリルを倍加させている。
【００２３】
図９は、景品トレイの使用時におけるトレイ本体と支持柱の組み合わせの例を示す斜視図である。図１０〜図１３は、トレイ本体上に載せられる景品の例を示した斜視図である。
図９におけるＢ1 は、トレイ本体１１に支持柱２１を取り付けないで使用する場合であり、図１０に示すような四角い箱型のものＧ2 や、座った姿勢や自立姿勢で安定して置ける縫いぐるみＧ3 などの景品を置く場合に適している。
【００２４】
図９におけるＢ2 は、トレイ本体１１の上面の穴の１つに支持柱２１を取り付けたものであり、Ｂ3 は、隣接する２つの穴にそれぞれ支持柱を取り付けたものである。
Ｂ2 やＢ3 は、図１１に示すような薄型のものＧ4 （例えば、写真立て、壁掛け時計など）や、さらに、薄い景品Ｇ1 （うちわ、下敷き等）を置くのに適している。
【００２５】
図９におけるＢ4 は、トレイ本体１１の上面の中心を挟んで対称的な位置にある２つの穴に、それぞれ支持柱２１を取り付けたものである。Ｂ5 は、３つの穴に、それぞれ支持柱２１を取り付けたものである。Ｂ6 は、トレイ本体１１の上面のすべての穴にそれぞれ支持柱２１を取り付けたものである。
図９におけるＢ4 ，Ｂ5 ，Ｂ6 は、図１２に示すような自立しないし、座らせることもできない縫いぐるみＧ5 ，Ｇ6 や、図１３に示すような、球形状のものＧ7 、柔らかいバッグＧ8 などの安定性の無いものを置くのに適している。
図１４は、トレイ本体と支持柱を任意に組み合わせたフィールド上の景品トレイに、それぞれ景品が置いた状況の例を示す斜視図である。
【００２６】
（他の実施形態）
本発明は、以上説明した実施形態に限定するものではなく、種々の変形又は変更が可能であって、これらも本発明の均等の範囲内である。
例えば、トレイ本体と支持柱の結合方法は、以上の説明では、支持柱の本体結合部を、トレイ本体の上面に設けた穴に、上部から挿入して結合しているが、トレイ本体の周縁部から挿入する等、他の方法によってもよい。
【００２７】
図１５は、トレイ本体の周縁部から挿入する支持柱の一例を示す正面図であり、図２に示したものとは異なるものである。図１６は、図１５に示した支持柱が取り付けられるトレイ本体である。
図１５のＨ2 及びＬ2 に示した支持柱４１と４２は、背の高さが異なるだけで、形状は略同じであり、図１の支持柱２０に相当する。
【００２８】
支持柱４１（４２）は、景品支持部４１ａ（４２ａ）と、景品支持部の下端から下に突き出した棒状の本体結合部４１ｂ（４２ｂ）で構成されている。
本体結合部４１ｂ（４２ｂ）は、景品支持部４１ａ（４２ａ）の下端面との間に、トレイ本体３１の周辺の一部を切り欠いて構成した支持柱結合部３１ａ，３１ｂ，３１ｃ，３１ｄの何れかを挟み込むようにして、任意の場所に結合することができる。なお、トレイ本体３１は、図１のトレイ本体１０に相当するものである。
【００２９】
どの種類の何個の支持柱を、どの位置に固定するかは、トレイ本体３１の上に置く景品の大きさや形状によって、安定した支持ができるか、見栄えはよいか、等を勘案して選択すればよい。景品トレイの使用時におけるトレイ本体と支持柱の組み合わせ、及び、その上に置く景品の種類別は、図９及び図１０〜図１３に準じて考えればよい。
【００３０】
また、トレイ本体底面の突起部は、上述した説明のように、底面に設けた穴に突起部品を嵌め込むのではなく、トレイ本体の製造工程において、当初から一体に形成しておいてもよい。
【００３１】
なお、トレイ本体、支持柱、突起部品などの構造、形態については、各種の変形例が考えられるが、本発明の主旨に沿うものであれば、そのいずれであってもよい。
例えば、前記の各図に示したトレイ本体は、円形であるが、四角形や三角形などの多角形や、楕円形でもよく、犬，猫，桜，朝顔などの動植物や、物語やアニメに登場するキャラクタをあしらった物でもよい。また、トレイ本体の上面に、文字を含むか、又は、文様のみの図柄などを、塗装又は凹凸をつけて表示したり、同様の表示をしたシートを添付してもよい。
特に、景品が取り去られた後に、図８に示すように、「とられちゃった」などのコメント等が見えるようにすると面白い。
支持柱についても同様であり、特に例示はしないが、トレイ本体に準じた変形が考えられる。
【００３２】
【発明の効果】
以上詳しく説明したように、本発明によれば、トレイ本体の底面の中央部に少なくとも一個の下方に突出した凸部を設けているので、景品をキャッチャによって掴むときに、景品トレイが回転して獲得が困難になる、という効果がある。従って、一見、景品獲得が容易にみえる他の要素と組み合わせることによって、キャッチャで掴むときの難しさが遊戯者にスリルを与え、一層ゲームを面白くすることができる。
【００３３】
また、前記凸部は、トレイ本体の底面に少なくとも１個の穴からなる穴部を設け、前記穴部に着脱自在で、結合したとき前記底面から一部が突き出す突起部品とで構成してあるので、景品トレイの回転の状況に変化を加えることができる、という効果がある。
【００３４】
さらに、トレイ本体底面の突起部品結合部は、底面の中心及びその中心と同心の円周上に分散して配置してあるので、前記回転状況を自然な回転で、しかも、微妙な変化を与え、景品獲得の難しさを細かく調節することができる、という効果がある。
【００３５】
一方、景品を寄り掛からせる着脱自在の支持柱を、選択して立てられるようにしてあるので、そのままでは自立できない景品を立たせることができるという効果がある。従って、景品の見栄えをよくし、容易にとれそうに見え、しかも、同一フィールドに多くの景品を並べることができるところから、ゲーム挑戦の意欲をそそるのに役立つ。しかも、従来クレーンゲーム機では、提供が困難な景品類をも提供することができる、という効果がある。
【図面の簡単な説明】
【図１】本発明によるクレーンゲーム機の景品トレイの実施形態を、使用状態で示した正面図である。
【図２】本実施形態に係るトレイ本体の回転を容易にする構造を示す説明図（断面図）である。
【図３】本実施形態に係る突起部品の例を示す斜視図である。
【図４】本実施形態に係るトレイ本体の底面の穴の配置例を示す底面図である。
【図５】図４の穴の開口部を拡大して示した説明図である。
【図６】本実施形態に係る突起部品を取り付ける穴の位置の配置例を示す説明図である。
【図７】本実施形態に係る景品トレイの支持柱の例を示す正面図，側面図である。
【図８】本実施形態に係る図７の支持柱と組み合わせるトレイ本体の一例を示す斜視図である。
【図９】本実施形態に係るトレイ本体と支持柱との組み合わせの例を示す斜視図である。
【図１０】本実施形態に係る景品例を示す斜視図である。
【図１１】本実施形態に係る景品例を示す斜視図である。
【図１２】本実施形態に係る景品例を示す斜視図である。
【図１３】本実施形態に係る景品例を示す斜視図である。
【図１４】本実施形態に係るフィールド上の景品トレイの使用状況の例を示す斜視図である。
【図１５】景品トレイの支持柱の変形例を示す正面図，右側面図である。
【図１６】図１５の支持柱と組み合わせるトレイ本体の一例を示す斜視図である。
【符号の説明】
１０，１１，３１  トレイ本体
１２ａ，１２ｂ，１２ｃ，１２ｄ，３２ａ，３２ｂ，３２ｃ，３２ｄ  トレイ本体の支持柱結合部
１３ａ，１３ｂ，１３ｃ，１３ｄ，１３ｅ，１３ｆ，１３ｇ，１３ｈ，１３ｉ突起部品挿入用の穴
１５，１６，１７，１８ｍ，１８ｎ  突起部品
２０，２１，２２，４１，４２  支持柱
２０ａ，２１ａ，２２ａ，４１ａ，４２ａ  景品支持部
２０ｂ，２１ｂ，２２ｂ，４１ｂ，４２ｂ  支持柱の本体結合部
Ｇ1 ，Ｇ2 ，Ｇ3 ，Ｇ4 ，Ｇ5 ，Ｇ6 ，Ｇ7 ，Ｇ8   景品
【図１】
0003869587.tif 000002
【図２】
0003869587.tif 000003
【図３】
0003869587.tif 000004
【図４】
0003869587.tif 000005
【図５】
0003869587.tif 000006
【図６】
0003869587.tif 000007
【図７】
0003869587.tif 000008
【図８】
0003869587.tif 000009
【図９】
0003869587.tif 000010
【図１０】
0003869587.tif 000011
【図１１】
0003869587.tif 000012
【図１２】
0003869587.tif 000013
【図１３】
0003869587.tif 000014
【図１４】
0003869587.tif 000015
【図１５】
0003869587.tif 000016
【図１６】
0003869587.tif 000017